(57)【要約】  コンテンツ種別に応じて、適切なダイジェストを作成可能なダイジェスト作成装置およびそのプログラムを提供することを課題とする。  映像情報と音声情報の少なくともいずれか一方を含むコンテンツと、当該コンテンツに付帯されているコンテンツ付帯情報とを取得するコンテンツ取得部２０と、コンテンツ付帯情報に基づいて、コンテンツの内容毎に分類されるコンテンツ種別を判別するコンテンツ種別判別部３２と、その判別結果に応じて、コンテンツの全コンテンツ区間から、対象区間を決定する対象区間決定部３３と、決定した対象区間の中から、コンテンツのダイジェストを作成するための要素となる部分シーンを抽出する部分シーン抽出部３４と、抽出した部分シーンを用いてダイジェストを作成するダイジェスト作成部３５と、を備えたものである。
2007039995.tif 000002
【特許請求の範囲】
【請求項１】
映像情報と音声情報の少なくともいずれか一方を含むコンテンツと、当該コンテンツに付帯されているコンテンツ付帯情報とを取得するコンテンツ取得手段と、
前記コンテンツ付帯情報に基づいて、前記コンテンツの内容毎に分類されるコンテンツ種別を判別するコンテンツ種別判別手段と、
前記コンテンツ種別判別手段による判別結果に応じて、前記コンテンツの時間軸上における全コンテンツ区間から、その一部または全体となる対象区間を決定する対象区間決定手段と、
決定した前記対象区間の中から、前記コンテンツのダイジェストを作成するための要素となる部分シーンを抽出する部分シーン抽出手段と、
抽出した前記部分シーンを用いて、前記ダイジェストを作成するダイジェスト作成手段と、を備えていることを特徴とするダイジェスト作成装置。
【請求項２】
前記対象区間は、前記コンテンツの開始点から、前記全コンテンツ区間と定数β（０＜β≦１）とを乗算して得られる時間だけ経過した時点までの区間であり、
前記対象区間決定手段は、前記コンテンツ種別判別手段により判別された前記コンテンツ種別に応じて可変する前記定数βの値に基づいて、前記対象区間を決定することを特徴とする請求項１に記載のダイジェスト作成装置。
【請求項３】
前記部分シーン抽出手段は、所定時間ｔｐ（ｔｐ＞０）の区間長を有する部分シーンを抽出し、当該所定時間ｔｐの値は、前記コンテンツ種別判別手段により判別された前記コンテンツ種別に応じて可変することを特徴とする請求項１に記載のダイジェスト作成装置。
【請求項４】
前記全コンテンツ区間から、前記映像情報と前記音声情報の少なくともいずれか一方に基づいて、ハイライトシーンを含むハイライト区間を検索するハイライト区間検索手段をさらに備え、
前記部分シーン抽出手段は、前記対象区間から前記ハイライト区間を除いた残区間の中から、前記部分シーンを抽出することを特徴とする請求項１に記載のダイジェスト作成装置。
【請求項５】
取得した前記コンテンツを記録するコンテンツ記録手段と、
記録した前記コンテンツを再生する再生手段と、をさらに備え、
前記部分シーン抽出手段は、記録したコンテンツが未再生であるか否かを判別し、未再生であると判別した場合に、前記対象区間から前記ハイライト区間を除いた残区間の中から前記部分シーンを抽出し、再生済みであると判別した場合は、前記ハイライト区間を含む部分シーンを抽出することを特徴とする請求項４に記載のダイジェスト作成装置。
【請求項６】
前記ダイジェストを再生するダイジェスト再生手段をさらに備え、
前記ダイジェスト作成手段は、抽出した前記部分シーンの開始点を示すアドレスと当該部分シーンの区間長とを示す区間データから成るダイジェスト再生情報を作成し、
前記ダイジェスト再生手段は、前記コンテンツ記録手段による前記コンテンツの記録データと、前記ダイジェスト再生情報とに基づいて前記ダイジェストを再生することを特徴とする請求項１に記載のダイジェスト作成装置。
【請求項７】
前記コンテンツ取得手段は、前記コンテンツ付帯情報の少なくとも一部として、前記コンテンツのシーン毎に記録されたメタデータを取得することを特徴とする請求項１に記載のダイジェスト作成装置。
【請求項８】
ＥＰＧデータを受信するＥＰＧ受信手段をさらに備え、
前記コンテンツ取得手段は、前記コンテンツ付帯情報の少なくとも一部として、前記ＥＰＧデータに含まれる番組情報を取得することを特徴とする請求項１に記載のダイジェスト作成装置。
【請求項９】
前記ダイジェスト作成手段は、複数の部分シーンを用いて前記ダイジェストを作成する場合、当該複数の部分シーンを、時系列に従って並び替えることを特徴とする請求項１に記載のダイジェスト作成装置。
【請求項１０】
コンピュータを、請求項１ないし９のいずれか１項に記載のダイジェスト作成装置における各手段として機能させるためのプログラム。
【発明の詳細な説明】
【技術分野】
【０００１】
本発明は、映像情報と音声情報の少なくともいずれか一方を含むコンテンツのダイジェストを作成するダイジェスト作成装置およびそのプログラムに関するものである。
【背景技術】
【０００２】
近年、映像情報や音声情報を含むコンテンツ（テレビ放送番組など）を記録・再生可能な記録再生装置において、記録したコンテンツを要約したダイジェストを作成し、これを再生するものが知られている。このダイジェスト再生は、記録したコンテンツ中のハイライトシーンなど特徴的なシーンを中心に再生させることができるため、ユーザが短時間で大まかなコンテンツの内容を把握したい場合や、見たい番組を検索する場合に利用される。【０００３】
ところで、ダイジェストを作成するに当たって、その特徴的なシーンを抽出する方法として、各種提案が為されている。例えば、特許文献１や特許文献２では、画像の顔領域が存在するフレーム、画像の連続性が無いフレーム（シーンチェンジ後のフレーム）等に応じて代表フレームを抽出し、当該代表フレームを先頭としてダイジェスト再生を行うようにしている。また、特許文献３では、コンテンツに含まれる音声情報に着目し、基準となる基準音声レベルよりも大きい区間が所定時間継続した場合に、その基準音声レベルより大きい区間を抽出してダイジェスト再生を行うようにしている。
【特許文献１】特開２００３―２８３９９３号公報
【特許文献２】特開平９―３１２８２７号公報
【特許文献３】特開平１０―３２７７６号公報
【発明の開示】
【発明が解決しようとする課題】
【０００４】
しかしながら、上記の特許文献に記載されたダイジェスト再生方法は、顔領域が存在するフレームや音声レベルが大きい区間など、いずれも特徴的なシーンを抽出しているため、番組の内容によっては、ユーザが望まないシーンを含むダイジェストを再生してしまう恐れがある。例えば、スポーツ番組を記録した際に、試合結果がダイジェストに含まれていたり、ドラマを記録した際に、その結末がダイジェストに含まれていたりするような場合である。このため、ストーリー性のある番組のダイジェストとしては、コンテンツの結果が判らない範囲で、いわゆる番組予告編に近いものを再生することが望まれている。【０００５】
そこで、本発明は、コンテンツの内容やジャンルに応じて、適切なダイジェストを作成可能なダイジェスト作成装置およびそのプログラムを提供することを目的とする。
【課題を解決するための手段】
【０００６】
本発明のダイジェスト作成装置は、映像情報と音声情報の少なくともいずれか一方を含むコンテンツと、当該コンテンツに付帯されているコンテンツ付帯情報とを取得するコンテンツ取得手段と、コンテンツ付帯情報に基づいて、コンテンツの内容毎に分類されるコンテンツ種別を判別するコンテンツ種別判別手段と、コンテンツ種別判別手段による判別結果に応じて、コンテンツの時間軸上における全コンテンツ区間から、その一部または全体となる対象区間を決定する対象区間決定手段と、決定した対象区間の中から、コンテンツのダイジェストを作成するための要素となる部分シーンを抽出する部分シーン抽出手段と、抽出した部分シーンを用いて、ダイジェストを作成するダイジェスト作成手段と、を備えていることを特徴とする。【０００７】
この構成によれば、コンテンツのダイジェストを作成する場合に、ダイジェストの要素となる部分シーンの抽出対象区間を、コンテンツ種別に応じて決定することができる。従って、例えばスポーツ番組やドラマなど、ストーリー性のあるコンテンツの場合は、コンテンツの前半部分を対象区間とすることで、それらの結末がダイジェストに含まれることを避けることができる。すなわち、コンテンツ種別に応じて、適切なダイジェストを作成することができる。【０００８】
なお、「コンテンツ」には、映像情報および音声情報から成るもの（テレビジョン番組など）、映像情報だけのもの（例えば無声映画など）、並びに音声情報だけのもの（例えば音楽やラジオ番組など）が含まれる。また、「コンテンツ種別」とは、コンテンツの内容、ジャンル、出演者、コンテンツの放送日時など、種々の基準で分類されるものである。また、「ダイジェスト」とは、コンテンツの内容を要約した要約情報を指す。【０００９】
上記のダイジェスト作成装置において、対象区間は、コンテンツの開始点から、全コンテンツ区間と定数β（０＜β≦１）とを乗算して得られる時間だけ経過した時点までの区間であり、対象区間決定手段は、コンテンツ種別判別手段により判別されたコンテンツ種別に応じて可変する定数βの値に基づいて、対象区間を決定することが好ましい。【００１０】
この構成によれば、例えばストーリー性のあるコンテンツの場合、部分シーンを抽出する対象区間を、定数βによって定まる前半部分に絞ることができる。また、定数βの値はコンテンツ種別に応じて可変するため、コンテンツの内容等に応じた適切な対象区間に決定することができる。【００１１】
上記のダイジェスト作成装置において、部分シーン抽出手段は、所定時間ｔｐ（ｔｐ＞０）の区間長を有する部分シーンを抽出し、当該所定時間ｔｐの値は、コンテンツ種別判別手段により判別されたコンテンツ種別に応じて可変することが好ましい。【００１２】
この構成によれば、コンテンツの内容等に応じた適切な長さの部分シーンを抽出することができる。例えば、コンテンツが音楽番組である場合は、部分シーンが３〜５秒程度の長さであれば、出演しているアーティストを把握することができる。また、コンテンツがスポーツ番組なら、部分シーンが１０秒程度であれば、パスの流れや投球シーン、解説者の話などから流れを理解することができる。【００１３】
上記のダイジェスト作成装置において、全コンテンツ区間から、映像情報と音声情報の少なくともいずれか一方に基づいて、ハイライトシーンを含むハイライト区間を検索するハイライト区間検索手段をさらに備え、部分シーン抽出手段は、対象区間からハイライト区間を除いた残区間の中から、部分シーンを抽出することが好ましい。【００１４】
この構成によれば、全コンテンツ区間からハイライトシーンを含むハイライト区間を除いた残区間の中から部分シーンを抽出するため、ダイジェストの中にハイライトシーンが含まれることがない。従って、作成されたダイジェストを視聴することによって、そのコンテンツの結果が判ってしまい、視聴者の視聴意欲を損ねるといったことがない。なお、「ハイライトシーン」とは、スポーツ番組の試合結果やドラマの結末など、視聴者が最も興味をそそられるシーンや盛り上がるシーンなど、そのコンテンツの特徴的なシーンを指す。また、ハイライトシーン（ハイライト区間）の検索は、例えば映像に顔領域が含まれているシーンを抽出する方法や、音声レベルや音圧レベルが基準値を超えているシーンを抽出する方法など、従来技術を適用可能である。【００１５】
上記のダイジェスト作成装置において、取得したコンテンツを記録するコンテンツ記録手段と、記録したコンテンツを再生する再生手段と、をさらに備え、部分シーン抽出手段は、記録したコンテンツが未再生であるか否かを判別し、未再生であると判別した場合に、対象区間からハイライト区間を除いた残区間の中から部分シーンを抽出し、再生済みであると判別した場合は、ハイライト区間を含む部分シーンを抽出することが好ましい。【００１６】
この構成によれば、記録したコンテンツが再生済みであるか否かに応じて、部分シーンの抽出の仕方を変えることができる。すなわち、未再生の場合は、視聴意欲を損ねないように、ハイライトシーンを避けて部分シーンを抽出し、再生済みの場合は、内容をより把握できるように、ハイライトシーンを含む部分シーンを抽出するため、再生済みであるか否かに応じて適切なダイジェストを作成することができる。【００１７】
上記のダイジェスト作成装置において、ダイジェストを再生するダイジェスト再生手段をさらに備え、ダイジェスト作成手段は、抽出した部分シーンの開始点を示すアドレスと当該部分シーンの区間長とを示す区間データから成るダイジェスト再生情報を作成し、ダイジェスト再生手段は、コンテンツ記録手段によるコンテンツの記録データと、ダイジェスト再生情報とに基づいてダイジェストを再生することが好ましい。【００１８】
この構成によれば、コンテンツの記録データの中からダイジェスト再生情報に該当する部分シーンを読み出すことによって、ダイジェストを再生することができる。すなわち、コンテンツの記録データの一部を抽出したダイジェスト用のデータを、コンテンツの記録データとは別に保存しておくといった必要が無く、部分シーンの開始点を示すアドレスとその区間長とを示す区間データを保存しておくだけで良いため、ダイジェスト保存用のメモリ使用量を少なくすることができる。【００１９】
上記のダイジェスト作成装置において、コンテンツ取得手段は、コンテンツ付帯情報の少なくとも一部として、コンテンツのシーン毎に記録されたメタデータを取得することが好ましい。【００２０】
この構成によれば、少なくともメタデータに基づいて、コンテンツ種別を判別することができる。なお、「メタデータ」とは、コンテンツ全体の内容に関する記述、制作者、著作権などに関する情報などの他、コンテンツに含まれる各シーンの詳細な情報を含むものである。【００２１】
上記のダイジェスト作成装置において、ＥＰＧデータを受信するＥＰＧ受信手段をさらに備え、コンテンツ取得手段は、コンテンツ付帯情報の少なくとも一部として、ＥＰＧデータに含まれる番組情報を取得することが好ましい。【００２２】
この構成によれば、少なくともＥＰＧデータ（電子番組ガイド表）に含まれる番組情報（番組配列情報）に基づいて、コンテンツ種別を判別することができる。【００２３】
なお、この場合、コンテンツは、音声情報を含むものであり、音圧レベルが所定の小音閾値以下となる小音圧区間を検索する小音圧区間検索手段と、小音区間検索手段との検索結果に基づいて、コマーシャルシーンを含む本編外シーンを抽出する本編外シーン抽出手段と、をさらに備え、部分シーン抽出手段は、コンテンツ種別判別手段により、取得したコンテンツが所定のコンテンツ種別であると判別された場合、抽出した本編外シーンの直後の所定区間を、部分シーンとして抽出しても良い。【００２４】
この構成によれば、検索した小音圧区間に基づいて、コマーシャルシーンを含む本編外シーンを抽出し、コンテンツ種別に応じて、その本編外シーンの直後の所定区間を対象区間とすることができる。例えば、コンテンツ種別がアニメの場合などは、コマーシャル直後にアニメの題目やテロップが表示されることが多いが、そのコマーシャル直後の所定区間を部分シーンとして抽出してダイジェストに含めることで、視聴者はより的確に内容を把握することができる。【００２５】
上記のダイジェスト作成装置において、ダイジェスト作成手段は、複数の部分シーンを用いてダイジェストを作成する場合、当該複数の部分シーンを、時系列に従って並び替えることが好ましい。【００２６】
この構成によれば、抽出した複数の部分シーンを時系列に従って並び替えるため、ダイジェストを再生する際に、連続して再生される部分シーンが時間的に前後するといった違和感を無くすことができる。また、番組予告編に近いダイジェストを作成することができる。【００２７】
本発明のプログラムは、上記のダイジェスト作成装置における各手段として機能させるためのものであることを特徴とする。【００２８】
このプログラムを用いることにより、コンテンツの内容やジャンルに応じて、適切なダイジェストを作成可能なダイジェスト作成装置を実現することができる。
【図面の簡単な説明】
【００２９】
【図１】本発明の一実施形態に係る録音再生装置のブロック構成図である。
【図２】対象区間からの部分シーンの抽出方法を説明する音圧レベル波形図である。
【図３】大音圧区間の検索処理を示すフローチャートである。
【図４】第１実施形態に係るダイジェスト作成処理を示すフローチャートである。
【図５】部分シーンを抽出する他の方法を説明する音圧レベル波形図である。
【図６】重複する部分シーンの抽出方法を説明する音圧レベル波形図である。
【図７】部分シーンの優先度を決定する他の方法を説明する図である。
【図８】第２実施形態に係る録音再生装置のブロック構成図である。
【図９】第２実施形態に係る本編外シーン直後の重要部分シーンの抽出方法を説明する音圧レベル波形図である。
【図１０】第２実施形態に係るダイジェスト作成処理を示すフローチャートである。
【符号の説明】
【００３０】
１０：録音再生装置，２０：コンテンツ取得部，３０：制御部，４０：音声解析部，５０：記憶部，６０：再生部，６１：コンテンツ再生部，６２：ダイジェスト再生部，８１：受信アンテナ，８２：外部機器，９１：表示装置，９２：ＵＩ入力装置，ＤＣｓ：本編外シーンの開始点，ＤＣｅ：本編外シーンの終了点，Ｄｓ：全コンテンツの区間の開始点，Ｄｅ：全コンテンツの区間の終了点，ＤＨｓ：大音圧区間の開始点，ＤＨｅ：大音圧区間の終了点，ＤＰｓ：部分シーンの開始点，ＤＰｅ：部分シーンの終了点，ＤＰｉｓ：重要部分シーンの開始点，ＤＰｉｅ：重要部分シーンの終了点，ｈｌ：大音圧区間の区間長，ｔｐ：部分シーンの区間長，Ｔ：全コンテンツの区間長，ＴＨｂ：大音閾値，ＴＨｓ：小音閾値
【発明を実施するための最良の形態】
【００３１】
以下、添付の図面を参照して、本発明の一実施形態に係るダイジェスト作成装置およびそのプログラムについて説明する。本発明は、映像情報（映像信号）および／または音声情報（音声信号）を含むコンテンツのコンテンツ種別に応じて、そのコンテンツのダイジェストを作成するための要素となる部分シーンの抽出対象区間を決定することを特徴とするものである。そこで、本発明のダイジェスト作成装置を、映像情報および音声情報を含むコンテンツの記録および再生を行う記録再生装置に適用した場合を例に挙げて説明する。【００３２】
図１は、本発明の一実施形態に係る記録再生装置１０のブロック構成図である。同図に示すように、記録再生装置１０は、外部から、映像情報および音声情報を含むコンテンツと当該コンテンツに関連するコンテンツ付帯情報（メタデータなど）とを取得するコンテンツ取得部２０と、各種制御を行う制御部３０と、音声情報に基づく解析を行う音声解析部４０と、各種情報を記憶する記憶部５０と、コンテンツやダイジェストの再生を行う再生部６０と、から成る。なお、「ダイジェスト」とは、コンテンツの内容を要約した要約情報を指す。【００３３】
コンテンツ取得部２０は、受信アンテナ８１から、地上波、ＢＳ、ＣＳ等のテレビジョン放送を受信する場合、いわゆるチューナが主要構成要素となる。また、外部機器８２（外部出力端子を有するテレビ、ビデオ再生機、ＤＶＤ再生機、パーソナルコンピュータ、各種チューナ等）からコンテンツを取得する場合は、外部入力端子が主要構成要素となる。なお、特に図示しないが、コンテンツ取得部２０は、インターネットなどの通信網を介して配信される映像／音楽データをコンテンツとして取得することも可能であり、その場合にはインターネット接続部分が主要構成要素となる。また、コンテンツ取得部２０として各種半導体メモリや各種光ディスクの読み取り装置を搭載している場合は、それらに記録されているコンテンツを取得することも可能である。【００３４】
また、コンテンツ取得部２０は、映像情報および音声情報を含むコンテンツの取得時において、同時にそのコンテンツ種別（映画、ドラマ、スポーツ番組、ニュース番組、音楽番組等のジャンル情報）を判別（識別）するためのコンテンツ付帯情報を取得する。コンテンツ付帯情報としては、メタデータ（コンテンツ全体の内容に関する記述、制作者、著作権などに関する情報などの他、コンテンツに含まれる各シーンの詳細な情報）や、テレビジョン放送においてコンテンツと共に配信されるＥＰＧデータ（電子番組ガイド表）の番組情報（番組配列情報）が含まれる。【００３５】
従って、本実施形態では、受信アンテナ８１を介して受信したコンテンツ、外部機器８２から取得したコンテンツ、インターネットなどの通信網を介して配信されたコンテンツ、各種半導体メモリや各種光ディスクの読み取り装置によって読み取られたコンテンツ、の全てに、メタデータ、ＥＰＧデータの番組情報、その他コンテンツ種別を判別するための情報のうち少なくともいずれか１つが付帯されていることが前提である。【００３６】
制御部３０は、記録再生装置１０の各部を統括して各種制御を行うものであり、具体的には、取得したコンテンツを記録するコンテンツ記録部３１と、コンテンツと共に取得したコンテンツ付帯情報に基づいてコンテンツ種別を判別するコンテンツ種別判別部３２と、コンテンツ種別に応じて部分シーン（ダイジェストを作成するための要素となるシーン）を抽出するための対象区間を決定する対象区間決定部３３と、対象区間から部分シーンを抽出する部分シーン抽出部３４と、抽出した部分シーンに基づいてダイジェストを再生するための情報（以下、「ダイジェスト再生情報」と称する）を作成するダイジェスト作成部３５と、を備えている。【００３７】
音声解析部４０は、コンテンツの中からハイライトシーン（＝ハイライト区間＝大音圧区間）を検索する大音圧区間検索部４１を備えている。この「ハイライトシーン」とは、スポーツ番組の試合結果やドラマの結末など、視聴者が最も興味をそそられるシーンや盛り上がるシーンなど、そのコンテンツの特徴的なシーンを指す。本実施形態では、このハイライトシーンを音声情報に基づいて検索する。すなわち、音声によって盛り上がりを判断する。【００３８】
音声解析部４０は、コンテンツに含まれる音声情報（音声波形情報）を解析して、単位時間あたりの平均音圧レベル（以下、単に「音圧レベル」と称する）を算出し、図２等に示すような音圧レベル波形を生成する。そして、大音圧区間検索部４１は、この生成された音圧レベル波形に基づいて、所定の閾値（以下、「大音閾値」と称する）以上となる区間（以下、「大音圧区間」と称する）を検索する。【００３９】
記憶部５０は、上記のコンテンツ記録部３１によって記録されたコンテンツの記録データ（以下、「コンテンツ記録データ」と称する）を記憶するコンテンツ記録データ記憶部５１と、大音圧区間検索部４１の検索結果を記憶する大音圧区間記憶部５２と、対象区間決定部３３によって決定された対象区間の開始点のアドレスと対象区間の区間長とを示すデータを記憶する対象区間記憶部５３と、ダイジェスト作成部３５によって作成されたダイジェスト再生情報を記憶するダイジェスト再生情報記憶部５４と、を備えている。なお、記憶部５０は、ハードディスク、各種半導体メモリ、各種光ディスク等により構成可能であり、その種類は問わない。【００４０】
再生部６０は、記録したコンテンツを再生するコンテンツ再生部６１と、ダイジェストを再生するダイジェスト再生部６２と、を備えている。コンテンツ再生部６１は、上記のコンテンツ記録データ記憶部５１から読み出したコンテンツ記録データに基づいてコンテンツを再生し、表示装置９１に表示させる。また、ダイジェスト再生部６２は、上記のダイジェスト再生情報記憶部５４から読み出したダイジェスト再生情報と、上記のコンテンツ記録データとに基づいてダイジェストを再生し、同じく表示装置９１に表示させる。【００４１】
ここで、上記のとおり構成された記録再生装置１０の一連の処理について、図２に示す音圧レベル波形の一例を参照して説明する。例えば、リモコン等のＵＩ（ユーザインターフェース）入力装置９２を用いて、ユーザ（視聴者）からコンテンツの記録が指示された場合、記録再生装置１０は、コンテンツ取得部２０を介してコンテンツを取得し、コンテンツ記録部３１によってこの取得したコンテンツを記録する。【００４２】
また、記録再生装置１０は、コンテンツの記録に同期して、大音圧区間検索部４１により大音圧区間を検索する。具体的には、音圧レベルが大音閾値（ＴＨｂ）以上となる大音圧区間を検索し、その開始点（ＤＨｓ）のアドレスとその区間長（ｈｌ）とを示すデータを取得する。すなわち、図２に示す例の場合、第１大音圧区間、第２大音圧区間、第３大音圧区間の開始点（ＤＨｓ１，ＤＨｓ２，ＤＨｓ３）のアドレスと、その区間長（ｈｌ１，ｈｌ２，ｈｌ３）とを示すデータを、大音圧区間記憶部５２に記憶する。【００４３】
コンテンツの記録を終了すると、そのコンテンツ記録データはコンテンツ記録データ記憶部５１に格納しておく。また、コンテンツ種別判別部３２により、コンテンツと共に取得したコンテンツ付帯情報（メタデータや、ＥＰＧデータの番組情報など）に基づいてコンテンツ種別を判別し、その判別結果に基づいて、対象区間決定部３３により、部分シーンの抽出対象となる対象区間を決定する。また、決定した対象区間の開始点のアドレスとその区間長とを示すデータを、対象区間記憶部５３に記憶する。【００４４】
ここでは、コンテンツの種別（ジャンル）が、映画、ドラマ、スポーツなどストーリー性のあるものである場合、全コンテンツ区間（コンテンツの録音時間に相当）の前半部分を対象区間とする。これは、ストーリー性のあるコンテンツの場合、その結果がダイジェストに含まれないようにするためである。具体的には、図２に示すように、コンテンツの全コンテンツ区間（区間長：Ｔ，開始点：Ｄｓ，終了点：Ｄｅ）の開始点Ｄｓから、全コンテンツ区間の区間長Ｔと定数β（０＜β≦１）とを乗算して得られる時間だけ経過した時点までの区間（区間長：Ｐ１＝Ｔ＊β）を対象区間として決定する。なお、このようにストーリー性のあるコンテンツの場合、βの値は０．５〜０．７程度であることが好ましい。また、コンテンツ種別が映画、ドラマ、スポーツ以外の場合は、全コンテンツ区間を対象区間とする（β＝１とする）。【００４５】
続いて、部分シーン抽出部３４により、大音圧区間記憶部５２に記憶されているデータに基づいて、ダイジェストに含めるための部分シーンを抽出する。図２の場合、大音圧区間が３つ存在するが（第１大音圧区間〜第３大音圧区間）、各大音圧区間の開始点（ＤＨｓ１，ＤＨｓ２，ＤＨｓ３）に基づいて、３つの部分シーンを抽出することとなる。但し、上記のとおり、コンテンツ種別が映画、ドラマ、スポーツの場合は、部分シーンを抽出する対象区間がコンテンツの開始点から区間長Ｐ１の区間となるため、その区間長Ｐ１内に存在する部分シーンのみが抽出対象となる。【００４６】
従って、図２の例の場合、部分シーンとしては、第１大音圧区間の開始点（ＤＨｓ１）から所定時間ｔａ遡った時点を開始点（ＤＰｓ１）とすると共に、第１大音圧区間の開始点（ＤＨｓ１）から所定時間ｔｂ（但し、ｔａ＞ｔｂ≧０）遡った時点を終了点（ＤＰｅ１）とする区間（区間長：ｔｐ１）の第１部分シーンと、第２大音圧区間の開始点（ＤＨｓ２）から所定時間ｔａ遡った時点を開始点（ＤＰｓ２）とすると共に、第２大音圧区間の開始点（ＤＨｓ２）から所定時間ｔｂ遡った時点を終了点（ＤＰｅ２）とする区間（区間長：ｔｐ２）の第２部分シーン（いずれも、図示斜線部）を抽出することとなる。なお、ｔａ，ｔｂの値は定数であるため、抽出される部分シーンの区間長ｔｐは、いずれもｔｐ＝ｔａ−ｔｂである。【００４７】
続いて、ダイジェスト作成部３５により、部分シーン抽出部３４の抽出結果に基づいて、ダイジェスト再生情報を作成する。ダイジェスト作成部３５では、部分シーン抽出部３４により複数の部分シーンが抽出された場合、各部分シーンを抽出する基準となる大音圧区間の区間長（ｈｌ）に応じて、優先順位を付け、優先順位の高いものからダイジェストに組み込んでいく。例えば、図２に示すように、２つの部分シーン（第１部分シーン，第２部分シーン）を抽出した場合、各部分シーンに対応する大音圧区間（第１大音圧区間，第２大音圧区間）の区間長の長い順（ｈｌ２→ｈｌ１）にダイジェストに組み込んでいく。従って、部分シーンの優先順位は、第２部分シーン→第１部分シーンとなり、各部分シーンの開始点（ＤＰｓ２，ＤＰｓ１）のアドレスと区間長（ｔｐ２，ｔｐ１）とを示す区
間データを、ダイジェスト再生情報として、ダイジェスト再生情報記憶部５４に記憶する。【００４８】
一方、ユーザが見たい番組を検索するために、ＵＩ入力装置９２を用いて、ダイジェストの再生を指示した場合、ダイジェスト再生部６２は、コンテンツ記録データ記憶部５１から読み出したコンテンツ記録データの中から、ダイジェスト再生情報に含まれる区間データに該当する区間を読み出して、ダイジェストを再生する。なお、ダイジェスト再生情報とコンテンツ記録データとに基づいてダイジェストを作成するのではなく、ダイジェストを作成するためのデータを別途作成し、そのデータに基づいてダイジェストを再生することも可能である。【００４９】
また、ユーザにより、ダイジェストの再生中において、コンテンツの再生指示が為された場合は、そのダイジェストを作成する基となったコンテンツを、コンテンツ再生部６１により再生する。なお、必ずしもダイジェストを再生させる必要はなく、表示装置９１にコンテンツリストを表示しておき、その中からユーザが選択したコンテンツを再生することも可能である。【００５０】
また、ユーザは、ＵＩ入力装置９２を用いて、大音圧区間を検索するための基準となる大音閾値（ＴＨｂ）の値を設定することが可能である。設定された大音閾値の値は、記憶部５０内に記憶され、大音圧区間検索部４１の検索時において参照される。なお、大音閾値以外にも、ユーザはＵＩ入力装置９２を用いて、作成するダイジェストの全体長さや、抽出する部分シーンの開始点や終了点を決定するための値（ｔａ，ｔｂ）を設定可能となっている。但し、これら大音閾値、ダイジェストの全体長さ、ｔａ，ｔｂの値は、ユーザによって特に設定されない場合、デフォルトの設定値を利用する。【００５１】
次に、図３のフローチャートを参照し、大音圧区間検索部４１による大音圧区間の検索処理について説明する。当該処理は、コンテンツの記録に同期して、単位時間毎（例えば１／６０秒毎）に実行される。同図に示すように、まず単位時間における音圧レベルが、設定されている大音閾値以上であるか否かを判別する（Ｓ０１）。大音閾値以上でない場合（Ｓ０１：Ｎｏ）、１つ前の単位時間は大音閾値以上であったか否かを判別し（Ｓ０２）、大音閾値以上であった場合は（Ｓ０２：Ｙｅｓ）、大音圧区間の終了点を設定する（Ｓ０３）。【００５２】
一方、Ｓ０１において、今回検索対象となっている単位時間の音圧レベルが大音閾値以上であると判別した場合は（Ｓ０１：Ｙｅｓ）、１つ前の単位時間も大音閾値以上であったか否かを判別し（Ｓ０４）、大音閾値以上でなかった場合は（Ｓ０４：Ｎｏ）、大音圧区間の開始点を設定する（Ｓ０５）。【００５３】
大音圧区間の開始点または終了点の設定後、若しくはＳ０４において、１つ前の単位時間が大音閾値以上であったと判別した場合や（Ｓ０４：Ｙｅｓ）、Ｓ０２において、１つ前の単位時間が大音閾値以上でなかったと判別した場合は（Ｓ０２：Ｎｏ）、コンテンツの記録を終了したか否かを判別し（Ｓ０６）、終了していない場合は（Ｓ０６：Ｎｏ）、上記の処理を繰り返す。【００５４】
また、記録を終了した場合は（Ｓ０６：Ｙｅｓ）、Ｓ０５で大音圧区間の開始点を設定していれば大音圧区間の終了点が設定されているか否かを判別し（Ｓ０７）、設定されていない場合は（Ｓ０７：Ｎｏ）、大音圧区間の終了点を設定して（Ｓ０８）、処理を終了する。すなわち、大音圧区間の終了点が設定されないまま記録を終えた場合は終了点を設定して、処理を終了する。【００５５】
次に、図４のフローチャートを参照し、ダイジェスト作成部３５による本実施形態のダイジェスト作成処理について説明する。上記のとおり、ダイジェスト作成処理はコンテンツの記録開始（ユーザによる記録指示、若しくは予約記録の場合はその指定時間の計時）に伴って、処理を開始する（Ｓ１１）。そして、周期的に記録終了か否かを判別し（Ｓ１２）、記録終了でない場合は（Ｓ１２：Ｎｏ）、コンテンツの音圧レベルが、大音閾値（ＴＨｂ）以上となる大音圧区間を検索する（Ｓ１３）。なお、これらＳ１２およびＳ１３の処理は、図３に示した大音圧区間の検索処理に相当するものである。【００５６】
この検索を記録終了まで繰り返すと（Ｓ１２：Ｙｅｓ）、取得したコンテンツ付帯情報に基づいて、コンテンツ種別が映画、ドラマ、スポーツのいずれであるかを判別する（Ｓ１４）。ここで、コンテンツ種別がこれらに該当すると判別した場合は（Ｓ１４：Ｙｅｓ）、対象区間の区間長Ｐ１を、Ｐ１＝全コンテンツ区間Ｔ＊定数βの計算式から求め、コンテンツの開始点Ｄｓから区間長Ｐ１の時点までを対象区間として決定する（Ｓ１５）。一方、コンテンツ種別がこれらに該当しないと判別した場合は（Ｓ１４：Ｎｏ）、全コンテンツ区間（区間長：Ｔ）を対象区間として決定する（Ｓ１６）。【００５７】
そして、対象区間に存在する部分シーン（図２の例の場合、第１部分シーン，第２部分シーン）に対し、それを抽出する基準となった大音圧区間（第１大音圧区間，第２大音圧区間）の区間長（ｈｌ１，ｈｌ２）に比例した優先度をつけ、抽出する部分シーンの開始点を決定する（Ｓ１７）。すなわち、図２の例の場合、［ＤＰｓ２，ＤＰｓ１］を決定する。さらに、優先度の高いものから、部分シーンの終了点（ＤＰｅ）を決定し、ダイジェストに組み込む（ダイジェスト再生情報に組み込む，Ｓ１８）。すなわち、図２の例の場合、まず［ＤＰｅ２］を決定し、第２部分シーンをダイジェストに組み込む。【００５８】
さらに、ダイジェストに組み込む度に、抽出した部分シーンの合計（区間長の合計）が、ダイジェストの全体長さ（ダイジェストの全再生時間）を超えているか否かを判別し（Ｓ１９）、超えていない場合は（Ｓ１９：Ｎｏ）、次に優先度の高い部分シーンの終了点を決定し、その部分シーンをダイジェストに組み込んでいく（Ｓ１８）。【００５９】
また、抽出した部分シーンの合計が、ダイジェストの全体長さを超えた場合は（Ｓ１９：Ｙｅｓ）、最後にダイジェストに加えた部分シーンを削除する（Ｓ２０）。これは、ダイジェストの全体長さが予め所定時間内に定められているためであり、時間に制限が無い場合は（ユーザの設定により、ダイジェストの再生時間の制限を無くすことも可能である）、Ｓ１９およびＳ２０に代えて、抽出した全ての部分シーンをダイジェストに組み込む。また、ダイジェストの全体長さが予め所定時間内に定められている場合でも、全ての部分シーンの組み込みを終了した場合（図２の例の場合、第２部分シーンと第１部分シーンの組み込みを終了した場合）は、ダイジェストの全体長さとして定められている所定時間に達しなくとも、次の工程（Ｓ２１）に移行する。【００６０】
そして、最後に抽出した部分シーンを時系列に従って並び替えを行い（Ｓ２１）、処理を終了する。すなわち、図２の例の場合、第２部分シーン→第１部分シーンの順にダイジェストに組み込まれることとなるが、これを第１部分シーン→第２部分シーンの順に並び替える。【００６１】
以上のとおり、本実施形態によれば、コンテンツ種別（ジャンル）に応じて、コンテンツのダイジェストを作成するための要素となる部分シーンの抽出対象区間を決定することができる。従って、例えばスポーツ番組やドラマなど、ストーリー性のあるコンテンツの場合は、コンテンツの前半部分を対象区間とすることで、それらの結末がダイジェストに含まれることを避けることができ、コンテンツ種別に応じた適切なダイジェストを作成することができる。【００６２】
また、大音圧区間の開始点（ＤＨｓ）から所定時間ｔａ遡った時点を開始点（ＤＰｓ）とすると共に、大音圧区間の開始点（ＤＨｓ）から所定時間ｔｂ（但し、ｔａ＞ｔｂ≧０）遡った時点を終了点（ＤＰｅ）とする区間（区間長：ｔｐ）を、ダイジェストに組み込むための部分シーンとして抽出するため、ハイライトシーン前のシーン、すなわちユーザが最も興味をそそられるシーンや盛り上がるシーンをダイジェストに組み込むことができる。また、ハイライトシーンそのもの（例えば、スポーツの試合結果やドラマの結末な）をダイジェストに含めないため、作成されたダイジェストの視聴によって、ユーザの視聴意欲が損なわれることがない。【００６３】
また、ダイジェスト作成処理においては、コンテンツの記録に伴って大音圧区間を検索するため、記録終了時には、大音圧区間の検索を終えた状態となる。従って、コンテンツの記録後に、再度コンテンツを読み出して大音圧区間を検索する必要が無く、その分ダイジェストの作成に要する時間を短縮することができる。【００６４】
また、ダイジェストの再生は、コンテンツ記録データの中からダイジェスト再生情報（１以上の区間データ（部分シーンの開始点を示すアドレスとその区間長とを示すデータ）から成る）に該当する部分シーンを読み出すことによって行うため、コンテンツ記録データの一部を抽出したダイジェスト用のデータを作成して、コンテンツ記録データとは別に保存しておくといった必要が無い。このため、ダイジェスト保存用のメモリ（ダイジェスト再生情報記憶部５４）としては、ダイジェスト再生情報を保存するだけの容量で済む。【００６５】
また、ダイジェストに組み込む部分シーンは、これを抽出した基準となる大音圧区間の区間長に応じた優先順位に従って決定するため、ハイライトシーンの長いもの、すなわち盛り上がりのより大きいシーンを優先的にダイジェストに組み込むことができ、ひいてはユーザの視聴意欲をより高めることができる。【００６６】
また、抽出した複数の部分シーンは、時系列に従って並び替えるため、ダイジェストを再生する際に、連続して再生される部分シーンが時間的に前後するといった違和感を無くし、より番組予告編に近いダイジェストを作成することができる。【００６７】
なお、上記の例では、コンテンツ種別として、コンテンツのジャンルが、映画、ドラマ、スポーツのいずれかに該当するか否かによって対象区間を決定したが、ジャンル毎にβの値を決定しても良い。すなわち、ジャンル毎に対象区間を決定しても良い。また、ジャンル別に分類するのではなく、コンテンツの内容（番組検索を行う場合のキーワードなど）、出演者、コンテンツの放送日時、コンテンツの放送曜日など、種々の基準で分類したコンテンツ種別に応じて対象区間（βの値）を決定しても良い。【００６８】
また、上記の例では、対象区間は、コンテンツの開始点から区間長Ｐ１（Ｐ１＝Ｔ＊β）経過した時点までであるものとしたが、コンテンツの中盤、さらには後半など、任意の区間を対象区間とすることも可能である。また、対象区間は１区間に限らず、複数の区間を対象区間とすることも可能である。【００６９】
また、上記の例では、部分シーンの区間長ｔｐは、コンテンツ種別に拘わらず一定の長さ（ｔｐ＝ｔａ−ｔｂ）であるものとしたが、コンテンツ種別に応じてｔａおよびｔｂの値を可変するようにしても良い。例えば、コンテンツが音楽番組である場合は、部分シーンが３〜５秒程度の長さであれば、出演しているアーティストを把握することができ、コンテンツがスポーツ番組なら、１０秒程度でパスの流れや、投球シーン、解説者の話などから流れを理解することができるが、このように部分シーンの区間長をコンテンツ種別に応じて異なる長さとすることで、コンテンツの内容等に応じた適切な長さの部分シーンを抽出することができる。【００７０】
また、上記の例では、大音圧区間の前のシーンを部分シーンとして抽出するものとしたが、記録したコンテンツが再生済みであるか否かに応じて、部分シーンの抽出の仕方を変えるようにしても良い。この場合、記録したコンテンツが未再生である場合は、対象区間から大音圧区間を除いた残区間の中から部分シーンを抽出し、記録したコンテンツが再生済みである場合は、大音圧区間を含む部分シーンを抽出することが好ましい。すなわち、未再生の場合は、視聴意欲を損ねないように、ハイライトシーン（大音圧区間）を避けて部分シーンを抽出し、再生済みの場合は、内容をより把握できるように、ハイライトシーンを含む部分シーンを抽出することにより、再生済みであるか否かに応じて適切なダイジェストを作成することができる。但し、この場合は、コンテンツの再生に伴って、コンテンツ記録終了後に作成したダイジェスト再生情報（未再生時に用いられるダイジェスト用）を更新するか、コンテンツ記録終了時に、未再生時用と再生済み用の２つのダイジェスト再生情報を作成しておく必要がある。【００７１】
また、上記の例では、大音圧区間、対象区間、部分シーン（ダイジェスト再生情報）など、各区間の開始点のアドレスとその区間長とを示すデータを記憶するものとしたが、これに代えて各区間の開始点と終了点のアドレスを記憶しても良い。【００７２】
また、上記の例では、コンテンツとコンテンツ付帯情報とを同時に取得するものとしたが、これらを異なる時間に取得しても良い。例えば、コンテンツのみを先に取得し、インターネット等の通信網を介して所定のＷｅｂサイトから、取得したコンテンツのコンテンツ付帯情報を読み出すようにしても良い。また、コンテンツ付帯情報を取得するのではなく、コンテンツに含まれる映像情報および／または音声情報に基づいて、コンテンツ種別を推定するようにしても良い。当該コンテンツ種別の推定は、映像解析技術または音声解析技術を用いて、予め用意しておいたコンテンツジャンルの特徴量との比較によって実現可能である。【００７３】
また、上記の例では、抽出した部分シーンが対象区間に含まれるものを、抽出対象とするものとしたが、仮に部分シーンの一部だけが対象区間に含まれる場合は（言い換えれば部分シーンの一部が対象区間に含まれない場合でも）、その部分シーンの開始点から終了点までを、抽出するようにしても良い。また、逆に部分シーンの全体が対象区間に含まれない場合は、その部分シーンの抽出を行わないようにしても良い。さらに、部分シーンの一部が対象区間に含まれる割合によって抽出するか否かを決定しても良い。【００７４】
さらに、部分シーンではなく、大音圧区間が対象区間に含まれる否かによって抽出するか否かを決定しても良い。例えば、大音圧区間の全体が対象区間に含まれるものを抽出対象とする場合、図２に示した例では、第２大音圧区間（開始点ＤＨｓ２，終了点ＤＨｅ２）の全体が対象区間に含まれないため、対象区間内に存在する第１大音圧区間（開始点ＤＨｓ１，終了点ＤＨｅ１）に基づく第１部分シーン（区間長：ｔｐ１，開始点ＤＰｓ１，終了点ＤＰｅ１）のみを抽出することとなる。【００７５】
また、上記の例では、音圧区間の開始点（ＤＨｓ）から所定時間ｔａ遡った時点を部分シーンの開始点（ＤＰｓ）としたが（図２参照）、抽出する部分シーンの開始点（ＤＰｓ）を、抽出する基準となる大音圧区間の区間長ｈｌに比例して、決定しても良い。これは、ハイライトシーンが長い場合は、一般にその前段となるシーンも長いと考えられるためである。この場合、部分シーンの開始点（ＤＰｓ）を決定するための所定時間ｔａ’は、図５に示すように、大音圧区間の開始点（ＤＨｓ）から、大音圧区間の区間長ｈｌ（ｈｌ＞０）と、定数α（０＜α≦１）とを乗算した値により決定することができる。【００７６】
一方、上記の例では、大音圧区間の開始点（ＤＨｓ）から所定時間ｔｂ遡った時点を部分シーンの終了点（ＤＰｅ）とするものとしたが、図５に示すように、部分シーンの終了点は、部分シーンの開始点（ＤＰｓ）から、当該部分シーンの区間長に相当する所定時間ｔｐ’（ｔｐ’≦ｈｌ＊α）だけ経過した時点として、決定するようにしても良い。この構成によれば（図２の例の場合も同様であるが）、大音圧区間の長さに関わらず、一定の長さ（区間長：ｔｐ’）の部分シーンを抽出することになるため、ダイジェストに複数の部分シーンが含まれる場合、シーン長が一定のバランスの良いダイジェストを作成することができる。【００７７】
一方、部分シーンの区間長を一定とするのではなく、大音圧区間の区間長ｈｌに応じて部分シーンの区間長を可変しても良い。この場合、例えば部分シーンの開始点（ＤＰｓ）を、大音圧区間の区間長ｈｌに応じて決定し（大音圧区間の開始点（ＤＨｓ）から（ｈｌ＊α）だけ遡った時点）、部分シーンの終了点（ＤＰｅ）を、大音圧区間の開始点（ＤＨｓ）から一定時間ｔｂだけ遡った時点として決定しても良い（図示省略）。また、この場合、所定時間ｔｂの値を０とすれば、大音圧区間の区間長ｈｌに比例して部分シーンの区間長を決定することができる。これらの構成によれば、ハイライトシーンの長さに応じて、興味深いと考えられる部分シーンをより長く、ダイジェストの１シーンとして再生させることができる。【００７８】
また、上記の例では、大音圧区間の開始点（ＤＨｓ）を基準にして、部分シーンを抽出しているため、所定時間ｔａ，ｔｂの値や音圧レベル波形によっては、抽出した部分シーンが重なってしまう場合がある。図６は、その一例を示したものであるが、第１大音圧区間（区間長：ｈｌ１）に基づいて抽出した第１部分シーン（区間長：ｔｐ１，図示左下がり斜線部）の後半と、第２大音圧区間（区間長：ｈｌ２，図示右下がり斜線部）に基づいて抽出した第２部分シーン（区間長：ｔｐ２）の前半が重なっている。このような場合、第１部分シーンの開始点（ＤＰｓ１）から第２部分シーンの終了点（ＤＰｅ２）までを、１つの部分シーンとして抽出することが好ましい（図示（１）参照）。【００７９】
但し、同図の例の場合、第２部分シーン（開始点：ＤＰｓ２，終了点：ＤＰｅ２）が第１大音圧区間（開始点：ＤＨｓ１，終了点：ＤＨｅ１）と重なっているため、その重複した区間（ＤＨｓ１〜ＤＨｅ１）は、部分シーンから削除することが好ましい（図示（２）参照）。【００８０】
さらに、この削除によって、抽出される部分シーンは、ＤＰｓ１〜ＤＨｓ１，ＤＨｅ１〜ＤＰｅ２までとなるが、ＤＨｅ１〜ＤＰｅ２のように、抽出した部分シーンの区間長がごく僅かとなる場合（人間が視聴してその内容を把握できない程度、例えば２秒以下など）は、部分シーンとして抽出しないことが好ましい。従って、図６に示す例の場合、最終的に区間ＤＰｓ１〜ＤＨｓ１を部分シーン（区間長：ｔｐ，開始点：ＤＰｓ，終了点：ＤＰｅ）として抽出することが好ましい（図示（３）参照）。【００８１】
これらの構成によれば、抽出した部分シーンが重なってしまった場合でも、ダイジェスト中に同じシーンが含まれることがない。また、抽出した部分シーンに大音圧区間が含まれるような場合は、その大音圧区間と重なるシーンを削除するため、コンテンツの結果が判ってしまうようなことが無く、ユーザの視聴意欲を損ねることがない。また、ごく僅かなシーンの抽出を無くすことができるため、ユーザに違和感を与えないダイジェストを作成することができる。【００８２】
また、上記の例では、図２に示すように、大音圧区間の区間長の長いものから、部分シーンの優先度を決定するものとしたが、逆に大音圧区間の区間長の短いものを優先しても良い。この構成によれば、ハイライトシーンの長さの短いものを優先的にダイジェストに組み込むことで、コンテンツの結末がより想定しづらいダイジェストを作成することができる。【００８３】
一方、図７に示すように、区間長ｈｌの長いものを優先とするだけでなく、大音閾値（ＴＨｂ）を超えた音圧レベルの値も考慮して、優先度を決定するようにしても良い。すなわち、大音圧区間における単位時間あたりの音圧レベルの累計（図示網掛部Ｈ１，Ｈ２，Ｈ３の面積に相当）によって、優先度を決定しても良い。従って、図７に示す例では、優先順位が、第３部分シーン→第２部分シーン→第１部分シーンとなる。この構成によれば、盛り上がりの長さだけでなく、盛り上がりの程度に応じて、抽出する部分シーンを決定することができる。【００８４】
また、上記の例では、音圧レベルに基づいて、大音圧区間を検索するものとしたが、コンテンツ付帯情報にメタデータが含まれる場合、当該メタデータも考慮して、ハイライトシーンを検索するようにしても良い。例えば、コンテンツが、サッカーの試合映像の場合、メタデータは、シュート・コーナーキックなどの試合の動きを示す情報がシーン毎に記録されているため、この各シーンの詳細情報を利用して、ハイライトシーンを検索し、そのハイライトシーンに基づいて部分シーンを抽出するようにしても良い。この構成によれば、より的確にハイライトシーンを検索することができる。【００８５】
また、メタデータ以外にも、映像情報も考慮して、ハイライトシーンを検索するようにしても良い。この場合、例えば映像に顔領域が含まれているシーン、シーンチェンジが早いシーン、テロップなど文字情報が表示されているシーンなどを画像解析によって調査し、それらのシーンを優先的に部分シーンに含めることが好ましい。【００８６】
また、上記の例では、大音圧区間を避けて部分シーンを抽出するものとしたが、大音圧区間か否かに拘わらず、対象区間内から１以上の部分シーンを任意に抽出することも当然可能である。【００８７】
次に、図８ないし図１０を参照し、本発明の第２実施形態について説明する。上記の第１実施形態では、取得したコンテンツのコンテンツ種別に応じて、部分シーンを抽出する対象区間を決定するものとしたが、本実施形態では、コンテンツが所定のコンテンツ種別である場合、コマーシャルシーンを含む本編外シーンの直後の所定区間を、部分シーンとして優先的に抽出することを特徴とする。そこで、上記実施形態と異なる点を中心に説明する。【００８８】
図８は、本実施形態に係るブロック構成図であり、図９は、本実施形態を説明するための一例となる音圧レベル波形を示したものである。図８に示すように、本実施形態に係る録音再生装置１０は、第１実施形態のブロック構成図と比較すると、制御部３０に本編外シーン抽出部３６を備え、音声解析部４０に小音圧区間検索部４２を備え、さらに記憶部５０に小音圧区間記憶部５５と、本編外シーン記憶部５６とを備えた点で異なる。【００８９】
小音圧区間検索部４２は、コンテンツの中から、音声情報に基づいて算出した音圧レベルが、所定の小音閾値（ＴＨｓ）以下となる小音圧区間を検索する（図９参照）。当該所定の小音閾値（ＴＨｓ）は、ユーザの設定によって変更可能であるが、特に設定が為されていない場合はデフォルト値を用いる。なお、小音圧区間検索部４２における処理は、図３に示した大音圧区間の検索処理において、「大音圧区間」を「小音圧区間」に、また「大音閾値以上」を「小音閾値以下」に読み替えた処理に相当する。すなわち、実質的な処理内容は同様であるため、詳細な説明は省略する。【００９０】
また、小音圧区間記憶部５５は、小音圧区間検索部４２の検索結果、すなわち各小音圧区間の開始点のアドレスとその区間長とを示すデータを記憶する。【００９１】
本編外シーン抽出部３６は、大音圧区間検索部４１と、小音区間検索部４２との検索結果に基づいて、全コンテンツ区間から、本編外シーンを抽出する。具体的には、小音圧区間記憶部５５に記憶されているデータに基づいて、小音圧区間が所定間隔（例えば１５秒間隔など）で存在する区間を、コマーシャルシーンと判断し、最初の小音圧区間の開始点（ＤＣｓ）から最後の小音圧区間の終了点（ＤＣｅ）までを本編外シーンとして抽出する（図９参照）。【００９２】
本編外シーン記憶部５６は、本編外シーン抽出部３６の抽出結果、すなわち各本編外シーンの開始点のアドレスとその区間長とを示すデータを記憶する。なお、本編外シーンとは、コマーシャルシーンの他、天気予報や番組コーナーなど、コンテンツの本編ではないと考えられる区間を指す。【００９３】
そして、本実施形態に係る部分シーン抽出部３４は、コンテンツ種別判別部３２により所定のコンテンツ種別（例えば、アニメなど）と判別した場合、図９に示すように、本編外シーン抽出部３６により抽出された本編外シーンの直後の所定区間を、重要部分シーン（区間長：ｔｐｉ，開始点：ＤＰｉｓ，終了点：ＤＰｉｅ）として抽出する。なお、所定のコンテンツ種別でないと判別した場合は、第１実施形態で示したように、大音圧区間のみに基づいて部分シーンを抽出する。但し、本実施形態では本編外シーンに含まれる大音圧区間は（図示Ａ，Ｂ）、部分シーンの抽出対象外とする。【００９４】
さらに、本実施形態に係るダイジェスト作成部３５は、上記の本編外シーン直後の重要部分シーンの優先度を最大値に設定して、ダイジェスト再生情報を作成する（ダイジェストに組み込む）。これは、コンテンツ種別がアニメの場合、コマーシャル直後にアニメの題目やテロップが表示されることが多いため、これをダイジェストに含めることで、ユーザがより的確に内容を把握できるようにするためである。なお、対象区間から、複数の重要部分シーンを抽出した場合は、時系列順に優先度が決定される。すなわち、０時から１時までの番組を記録した場合であって、その全区間が対象区間であり（コンテンツ種別が映画、ドラマ、スポーツ以外の場合）、且つ１５分おきにコマーシャルが放送されるような場合は、０時１５分付近で放送されたコマーシャルの直後のシーンを、最も優先度が高い重要部分シーンとして抽出し、０時３０分付近で放送されたコマーシャルの直後のシーンを、次に優先度が高い重要部分シーンとして抽出することとなる。【００９５】
ここで、図１０のフローチャートを参照し、ダイジェスト作成部３５による本実施形態のダイジェスト作成処理について説明する。なお、各工程に括弧書きで示した参照番号は、図４のフローチャートに示した参照番号と同様の処理であることを意味するものであり、それらの詳細な説明は適宜省略する。【００９６】
本実施形態においても、コンテンツの記録開始に伴って、ダイジェスト作成処理を開始する（Ｓ３１）。そして、記録終了となるまで、コンテンツの音圧レベルが大音閾値（ＴＨｂ）以上となる大音圧区間と、音圧レベルが小音閾値（ＴＨｓ）以上となる小音圧区間とを検索する（Ｓ３２，Ｓ３３）。【００９７】
記録を終了すると（Ｓ３２：Ｙｅｓ）、コンテンツ種別がアニメであるか否かを判別し（Ｓ３４）、アニメである場合は（Ｓ３４：Ｙｅｓ）、全コンテンツ区間（区間長：Ｐ１）を対象区間（区間長：Ｔ）と決定する。また、小音圧区間の検索結果に基づいて、本編外シーンを抽出し、その後の所定区間を優先度最大の部分シーンとして決定する（Ｓ３５）。なお、図９の例は、コンテンツ種別がアニメである場合を示したものである。【００９８】
一方、コンテンツ種別がアニメでない場合は（Ｓ３４：Ｎｏ）、さらにコンテンツ種別が、映画、ドラマ、スポーツであるか否かを判別し（Ｓ３６）、コンテンツ種別がこれらに該当する場合は（Ｓ３６：Ｙｅｓ）、対象区間の区間長Ｐ１を、Ｐ１＝全コンテンツ区間Ｔ＊定数βの計算式から求め、コンテンツの開始点Ｄｓから区間長Ｐ１の時点までを対象区間として決定する（Ｓ３７）。一方、コンテンツ種別がこれらに該当しないと判別した場合は（Ｓ３６：Ｎｏ）、全コンテンツ区間（区間長：Ｔ）を対象区間として決定する（Ｓ３８）。【００９９】
そして、大音圧区間の検索結果に基づいて、部分シーンを抽出すると共に当該部分シーンに優先度を付け、さらに本編外シーンの検出結果からも重要部分シーンを抽出して、その優先度を最大に設定し、各部分シーンの開始点（ＤＰｓ，ＤＰｉｓ）を優先度に従って決定する（Ｓ３９）。続いて、優先度の高いものから、部分シーンの終了点（ＤＰｅ，ＤＰｉｅ）を決定し、ダイジェストに組み込む（Ｓ４０）。すなわち、図９の例の場合、まず重要部分シーンの開始点［ＤＰｉｓ］と重要部分シーンの終了点［ＤＰｉｅ］を決定し、重要部分シーンをダイジェストに組み込む。【０１００】
そして、抽出した部分シーンの合計（区間長の合計）が、ダイジェストの全体長さを超えるか否かを判別し（Ｓ４１）、超えていない場合は（Ｓ４１：Ｎｏ）、次に優先度の高い部分シーンの終了点を決定し、ダイジェストに組み込む（Ｓ４０）。すなわち、図９の例の場合、部分シーンの開始点［ＤＰｓ］と部分シーンの終了点［ＤＰｅ］を決定し、部分シーンをダイジェストに組み込む。【０１０１】
このようにして、抽出した部分シーンの合計が、ダイジェストの全体長さを超えた場合（Ｓ４１：Ｙｅｓ）、最後にダイジェストに加えた部分シーンを削除する（Ｓ４２）。また、全ての重要部分シーンまたは部分シーンの組み込みを終了した場合は、Ｓ４１およびＳ４２を省略してＳ４３に移行する。さらに、抽出した重要部分シーンおよび／または部分シーンを時系列に従って並び替えを行い（Ｓ４３）、処理を終了する。【０１０２】
以上のとおり、本実施形態によれば、コンテンツ種別が所定のものである場合、小音圧区間の検索結果に基づいて抽出された本編外シーンの直後のシーンを重要部分シーンとして優先的にダイジェストに含めることができる。従って、例えばコンテンツがアニメの場合に、コマーシャル直後のシーンを優先的にダイジェストに含めるなど、コンテンツ種別に応じて、適切なダイジェストを作成することができる。【０１０３】
なお、上記の例では、コンテンツ種別がアニメの場合、対象区間を全コンテンツ区間としたが（Ｓ３５）、アニメにおいても映画やドラマのように結果が含まれると好ましくない場合があるため、対象区間をＰ１に絞っても良い（Ｓ３７参照）。【０１０４】
また、上記の例では、小音圧区間が所定間隔で存在する区間を、本編外シーンとして抽出するものとしたが、過去に提案されている各種コマーシャル検出方法を適用して、本編外シーンを抽出するようにしても良い。すなわち、映像情報に基づくシーンチェンジや、放送モード（２カ国語放送であるか否か、ステレオ放送であるか否かなど）に基づいて検出したコマーシャルシーンを、本編外シーンとして抽出しても良い。【０１０５】
また、上記の例では、コンテンツ種別に応じて、部分シーンを抽出する対象区間と、部分シーンの抽出の仕方（本編外シーン直後の所定区間を抽出するか否か）との両方を替えるものとしたが、コンテンツ種別に拘わらず、対象区間を全て全コンテンツ区間としても良い。すなわち、コンテンツ種別に応じて、部分シーンの抽出の仕方だけを替えるようにしても良い。【０１０６】
その他、上記の第１実施形態において記載した種々の変形例を、本実施形態にも適用可能である。【０１０７】
以上、第１実施形態および第２実施形態において説明したとおり、本発明によれば、コンテンツ種別が所定のものである場合（映画、ドラマ、スポーツの場合など）は、コンテンツのダイジェストを作成するための要素となる部分シーンの抽出対象区間をコンテンツの前半部分とするなど、コンテンツ種別に応じて対象区間を決定するため、コンテンツ種別に適したダイジェストを作成することができる。また、例えばコンテンツ種別が所定のもの（上記の所定のものと同一の種別であっても良いし異なる種別であっても良い）である場合（アニメの場合など）は、コマーシャルシーン（本編外シーン）の直後のシーンを重要部分シーンとして抽出するため、さらにコンテンツ種別に適したダイジェストを作成することができる。【０１０８】
なお、上記の各実施形態では、映像情報および音声情報の両方を含むコンテンツのダイジェストを作成する場合を例示したが、コンテンツ付帯情報を有するものであれば、音声情報しか含まないコンテンツ（例えば音楽やラジオ番組など）にも本発明は適用可能である。また、逆に音声情報を含まず、映像情報しか含まないコンテンツ（例えば無声映画など）にも本発明は適用可能である。但し、映像情報しか含まないコンテンツの場合は、第１実施形態の後半部分にて説明した映像情報の画像解析結果、および／またはメタデータに基づいて、ハイライトシーンを検出し、その検出結果に基づいて部分シーンを抽出することとなる。【０１０９】
また、上記の各実施形態に示した録音再生装置１０における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスク、フレキシブルディスクおよびハードディスク等を利用することができる。【０１１０】
また、上述した実施例によらず、装置構成や処理工程等について、本発明の要旨を逸脱しない範囲で、適宜変更も可能である。また、録音再生装置１０以外にも、ビデオレコーダ、ＤＶＤレコーダ、パーソナルコンピュータ等に本発明のダイジェスト作成機能を搭載可能である。
【図１】
2007039995.tif 000003
【図２】
2007039995.tif 000004
【図３】
2007039995.tif 000005
【図４】
2007039995.tif 000006
【図５】
2007039995.tif 000007
【図６】
2007039995.tif 000008
【図７】
2007039995.tif 000009
【図８】
2007039995.tif 000010
【図９】
2007039995.tif 000011
【図１０】
2007039995.tif 000012
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
映像情報と音声情報の少なくともいずれか一方を含むコンテンツと、当該コンテンツに付帯されているコンテンツ付帯情報とを取得するコンテンツ取得手段と、
前記コンテンツ付帯情報に基づいて、前記コンテンツの内容毎に分類されるコンテンツ種別を判別するコンテンツ種別判別手段と、
前記コンテンツ種別判別手段による判別結果に応じて、前記コンテンツの時間軸上における全コンテンツ区間から、その一部となる対象区間を決定する対象区間決定手段と、
決定した前記対象区間の中から、前記コンテンツのダイジェストを作成するための要素となる部分シーンを抽出する部分シーン抽出手段と、
抽出した前記部分シーンを用いて、前記ダイジェストを作成するダイジェスト作成手段と、を備えていることを特徴とするダイジェスト作成装置。
【請求項２】
映像情報と音声情報の少なくともいずれか一方を含むコンテンツと、当該コンテンツに付帯されているコンテンツ付帯情報とを取得するコンテンツ取得手段と、
前記コンテンツ付帯情報に基づいて、前記コンテンツの内容毎に分類されるコンテンツ種別を判別するコンテンツ種別判別手段と、
前記コンテンツ種別判別手段による判別結果に応じて、前記コンテンツの時間軸上における全コンテンツ区間から、その一部または全体となる対象区間を決定する対象区間決定手段と、
決定した前記対象区間の中から、前記コンテンツのダイジェストを作成するための要素となる部分シーンを抽出する部分シーン抽出手段と、
抽出した前記部分シーンを用いて、前記ダイジェストを作成するダイジェスト作成手段と、を備え、
前記対象区間は、前記コンテンツの開始点から、前記全コンテンツ区間と定数β（０＜β≦１）とを乗算して得られる時間だけ経過した時点までの区間であり、
前記対象区間決定手段は、前記コンテンツ種別判別手段により判別された前記コンテンツ種別に応じて可変する前記定数βの値に基づいて、前記対象区間を決定することを特徴とするダイジェスト作成装置。
【請求項３】
映像情報と音声情報の少なくともいずれか一方を含むコンテンツと、当該コンテンツに付帯されているコンテンツ付帯情報とを取得するコンテンツ取得手段と、
前記コンテンツ付帯情報に基づいて、前記コンテンツの内容毎に分類されるコンテンツ種別を判別するコンテンツ種別判別手段と、
前記コンテンツ種別判別手段による判別結果に応じて、前記コンテンツの時間軸上における全コンテンツ区間から、その一部または全体となる対象区間を決定する対象区間決定手段と、
決定した前記対象区間の中から、前記コンテンツのダイジェストを作成するための要素となる部分シーンを抽出する部分シーン抽出手段と、
抽出した前記部分シーンを用いて、前記ダイジェストを作成するダイジェスト作成手段と、を備え、
前記部分シーン抽出手段は、所定時間ｔｐ（ｔｐ＞０）の区間長を有する部分シーンを抽出し、当該所定時間ｔｐの値は、前記コンテンツ種別判別手段により判別された前記コンテンツ種別に応じて可変することを特徴とするダイジェスト作成装置。
【請求項４】
映像情報と音声情報の少なくともいずれか一方を含むコンテンツと、当該コンテンツに付帯されているコンテンツ付帯情報とを取得するコンテンツ取得手段と、
前記コンテンツ付帯情報に基づいて、前記コンテンツの内容毎に分類されるコンテンツ種別を判別するコンテンツ種別判別手段と、
前記コンテンツ種別判別手段による判別結果に応じて、前記コンテンツの時間軸上における全コンテンツ区間から、その一部または全体となる対象区間を決定する対象区間決定手段と、
決定した前記対象区間の中から、前記コンテンツのダイジェストを作成するための要素となる部分シーンを抽出する部分シーン抽出手段と、
抽出した前記部分シーンを用いて、前記ダイジェストを作成するダイジェスト作成手段と、
前記全コンテンツ区間から、前記映像情報と前記音声情報の少なくともいずれか一方に基づいて、ハイライトシーンを含むハイライト区間を検索するハイライト区間検索手段と、を備え、
前記部分シーン抽出手段は、前記対象区間から前記ハイライト区間を除いた残区間の中から、前記部分シーンを抽出することを特徴とするダイジェスト作成装置。
【請求項５】
取得した前記コンテンツを記録するコンテンツ記録手段と、
記録した前記コンテンツを再生する再生手段と、をさらに備え、
前記部分シーン抽出手段は、記録したコンテンツが未再生であるか否かを判別し、未再生であると判別した場合に、前記対象区間から前記ハイライト区間を除いた残区間の中から前記部分シーンを抽出し、再生済みであると判別した場合は、前記ハイライト区間を含む部分シーンを抽出することを特徴とする請求項４に記載のダイジェスト作成装置。
【請求項６】
前記ダイジェストを再生するダイジェスト再生手段をさらに備え、
前記ダイジェスト作成手段は、抽出した前記部分シーンの開始点を示すアドレスと当該部分シーンの区間長とを示す区間データから成るダイジェスト再生情報を作成し、
前記ダイジェスト再生手段は、前記コンテンツ記録手段による前記コンテンツの記録データと、前記ダイジェスト再生情報とに基づいて前記ダイジェストを再生することを特徴とする請求項１ないし４のいずれか１項に記載のダイジェスト作成装置。
【請求項７】
前記コンテンツ取得手段は、前記コンテンツ付帯情報の少なくとも一部として、前記コンテンツのシーン毎に記録されたメタデータを取得することを特徴とする請求項１ないし４のいずれか１項に記載のダイジェスト作成装置。
【請求項８】
ＥＰＧデータを受信するＥＰＧ受信手段をさらに備え、
前記コンテンツ取得手段は、前記コンテンツ付帯情報の少なくとも一部として、前記ＥＰＧデータに含まれる番組情報を取得することを特徴とする請求項１ないし４のいずれか１項に記載のダイジェスト作成装置。
【請求項９】
前記ダイジェスト作成手段は、複数の部分シーンを用いて前記ダイジェストを作成する場合、当該複数の部分シーンを、時系列に従って並び替えることを特徴とする請求項１ないし４のいずれか１項に記載のダイジェスト作成装置。
【請求項１０】
コンピュータを、請求項１ないし９のいずれか１項に記載のダイジェスト作成装置における各手段として機能させるためのプログラム。
【手続補正２】
【補正対象書類名】明細書
【補正対象項目名】０００２
【補正方法】変更
【補正の内容】
【０００２】
再生してしまう恐れがある。例えば、スポーツ番組を記録した際に、試合結果がダイジェストに含まれていたり、ドラマを記録した際に、その結末がダイジェストに含まれていたりするような場合である。このため、ストーリー性のある番組のダイジェストとしては、コンテンツの結果が判らない範囲で、いわゆる番組予告編に近いものを再生することが望まれている。
［０００５］
そこで、本発明は、コンテンツの内容やジャンルに応じて、適切なダイジェストを作成可能なダイジェスト作成装置およびそのプログラムを提供することを目的とする。
課題を解決するための手段
［０００６］
本発明のダイジェスト作成装置は、映像情報と音声情報の少なくともいずれか一方を含むコンテンツと、当該コンテンツに付帯されているコンテンツ付帯情報とを取得するコンテンツ取得手段と、コンテンツ付帯情報に基づいて、コンテンツの内容毎に分類されるコンテンツ種別を判別するコンテンツ種別判別手段と、コンテンツ種別判別手段による判別結果に応じて、コンテンツの時間軸上における全コンテンツ区間から、その一部となる対象区間を決定する対象区間決定手段と、決定した対象区間の中から、コンテンツのダイジェストを作成するための要素となる部分シーンを抽出する部分シーン抽出手段と、抽出した部分シーンを用いて、ダイジェストを作成するダイジェスト作成手段と、を備えていることを特徴とする。
［０００７］
この構成によれば、コンテンツのダイジェストを作成する場合に、ダイジェストの要素となる部分シーンの抽出対象区間を、コンテンツ種別に応じて決定することができる。従って、例えばスポーツ番組やドラマなど、ストーリー性のあるコンテンツの場合は、コンテンツの前半部分を対象区間とすることで、それらの結末がダイジェストに含まれることを避けることができる。すなわち、コンテンツ種別に応じて、適切なダイジェストを作成することができる。
［０００８］
なお、「コンテンツ」には、映像情報および音声情報から成るもの（テレビジョン番組など）、映像情報だけのもの（例えば無声映画など）、並びに音声情報だけのもの（例えば音楽やラジオ番組など）が含まれる。また、「コンテンツ種別」とは、コンテンツの内容、ジャンル、出演者、コンテンツの放送日時など、種々の基準で分類されるものである。また、「ダイジェスト」とは、コンテンツの内容を要約した要約情報を指す。
【手続補正３】
【補正対象書類名】明細書
【補正対象項目名】０００３
【補正方法】変更
【補正の内容】
【０００３】
［０００９］
本発明の他のダイジェスト作成装置は、映像情報と音声情報の少なくともいずれか一方を含むコンテンツと、当該コンテンツに付帯されているコンテンツ付帯情報とを取得するコンテンツ取得手段と、コンテンツ付帯情報に基づいて、コンテンツの内容毎に分類されるコンテンツ種別を判別するコンテンツ種別判別手段と、コンテンツ種別判別手段による判別結果に応じて、コンテンツの時間軸上における全コンテンツ区間から、その一部または全体となる対象区間を決定する対象区間決定手段と、決定した対象区間の中から、コンテンツのダイジェストを作成するための要素となる部分シーンを抽出する部分シーン抽出手段と、抽出した部分シーンを用いて、ダイジェストを作成するダイジェスト作成手段と、を備え、対象区間は、コンテンツの開始点から、全コンテンツ区間と定数β（０＜β≦１）とを乗算して得られる時間だけ経過した時点までの区間であり、対象区間決定手段は、コンテンツ種別判別手段により判別されたコンテンツ種別に応じて可変する定数βの値に基づいて、対象区間を決定することを特徴とする。
［００１０］
この構成によれば、例えばストーリー性のあるコンテンツの場合、部分シーンを抽出する対象区間を、定数βによって定まる前半部分に絞ることができる。また、定数βの値はコンテンツ種別に応じて可変するため、コンテンツの内容等に応じた適切な対象区間に決定することができる。
［００１１］
本発明の他のダイジェスト作成装置は、映像情報と音声情報の少なくともいずれか一方を含むコンテンツと、当該コンテンツに付帯されているコンテンツ付帯情報とを取得するコンテンツ取得手段と、コンテンツ付帯情報に基づいて、コンテンツの内容毎に分類されるコンテンツ種別を判別するコンテンツ種別判別手段と、コンテンツ種別判別手段による判別結果に応じて、コンテンツの時間軸上における全コンテンツ区間から、その一部または全体となる対象区間を決定する対象区間決定手段と、決定した対象区間の中から、コンテンツのダイジェストを作成するための要素となる部分シーンを抽出する部分シーン抽出手段と、抽出した部分シーンを用いて、ダイジェストを作成するダイジェスト作成手段と、を備え、部分シーン抽出手段は、所定時間ｔｐ（ｔｐ＞０）の区間長を有する部分シーンを抽出し、当該所定時間ｔｐの値は、コンテンツ種別判別手段により判別されたコンテンツ種別に応じて可変することを特徴とする。
［００１２］
この構成によれば、コンテンツの内容等に応じた適切な長さの部分シーンを抽出することができる。例えば、コンテンツが音楽番組である場合は、部分シーンが３〜５秒程度の長さであれば、出演しているアーティストを把握することができる。また、コンテンツがスポーツ番組なら、部分シーンが１０秒程度であれば、パスの流れや投球シーン、解説者の話などから流れを理解することができる。
［００１３］
本発明の他のダイジェスト作成装置は、映像情報と音声情報の少なくともいずれか一方を含むコンテンツと、当該コンテンツに付帯されているコンテンツ付帯情報とを取得するコンテンツ取得手段と、コンテンツ付帯情報に基づいて、コンテンツの内容毎に分類されるコンテンツ種別を判別するコンテンツ種別判別手段と、コンテンツ種別判別手段による判別結果に応じて、コンテンツの時間軸上における全コンテンツ区間から、その一部または全体となる対象区間を決定する対象区間決定手段と、決定した対象区間の中から、コンテンツのダイジェストを作成するための要素となる部分シーンを抽出する部分シーン抽出手段と、抽出した部分シーンを用いて、ダイジェストを作成するダイジェスト作成手段と、全コンテンツ区間から、映像情報と音声情報の少なくともいずれか一方に基づいて、ハイライトシーンを含むハイライト区間を検索するハイライト区間検索手段と、を備え、部分シーン抽出手段は、対象区間からハイライト区間を除いた残区間の中から、部分シーンを抽出することを特徴とする。
［００１４］
この構成によれば、全コンテンツ区間からハイライトシーンを含むハイライト区間を除いた残区間の中から部分シーンを抽出するため、ダイジェストの中にハイライトシーンが含まれることがない。従って、作成されたダイジェストを視聴することによって、そのコンテンツの結果が判ってしまい、視聴者の視聴意欲を損ねるといったことがない。なお、「ハイライトシーン」とは、スポーツ番組の試合結果やドラマの結末など、視聴者が最も興味をそそられるシーンや盛り上がるシーンなど、そのコンテンツの特徴的なシーンを指す。また、ハイライトシーン（ハイライト区間）の検索は、例えば映像に顔
【国際調査報告】
2007039995.tif 000013
2007039995.tif 000014
2007039995.tif 000015
2007039995.tif 000016